(57)【要約】【課題】入力選択番号への映像ソースの割り当ての自由度を減少させることなく、未使用入力端子の数を削減できるようにする。【解決手段】入力選択テーブルＴＢＬ３を設定する。この入力選択テーブルＴＢＬ３に、ユーザから指定される映像信号入力端子と音声信号入力端子との組合せと入力選択番号との関係を記憶させる。ユーザからの指示により入力選択番号が切り替えられると、その切り替えられた入力選択番号に対応する映像信号入力端子と音声信号入力端子との組合せを入力選択テーブルＴＢＬ３より読み出し、この読み出した映像信号入力端子および音声信号入力端子からの映像信号および音声信号を選択する。【選択図】        図２
2004221948.tif 000002
【特許請求の範囲】
【請求項１】
複数の映像信号入力端子により構成される第１〜第Ｎ（Ｎ≧２）の映像信号入力端子群と、
複数の音声信号入力端子により構成される音声信号入力端子群と、
変更可能に設定される前記映像信号入力端子と前記音声信号入力端子との組合せと入力選択番号との関係を記憶する記憶手段と、
ユーザからの指示により入力選択番号が切り替えられた場合、この切り替えられた入力選択番号に対応する映像信号入力端子と音声信号入力端子との組合せを前記記憶手段より読み出し、この読み出した映像信号入力端子および音声信号入力端子からの映像信号および音声信号を選択する選択手段と
を備えたことを特徴とする映像ソース切替装置。
【請求項２】
請求項１に記載された映像ソース切替装置において、
前記記憶手段は、予め定められた映像信号入力端子については、その映像信号入力端子と音声信号入力端子との組合せを、ユーザから指定される映像信号の種別を付して記憶し、
前記選択手段は、読み出した映像信号入力端子と音声信号入力端子との組合せに映像信号の種別が付されていた場合、その読み出した映像信号入力端子からの映像信号については、その付されていた映像信号の種別に応ずる経路へ送る
ことを特徴とする映像ソース切替装置。
【請求項３】
請求項１又は２に記載された映像ソース切替装置において、前記記憶手段は、前記映像信号入力端子と前記音声信号入力端子との組合せを、前記映像信号入力端子に対応する入力識別番号と前記音声信号入力端子に対応する入力識別番号との組合せとして、前記入力選択番号に対応づけてテーブル形式で記憶する
ことを特徴とする映像ソース切替装置。
【発明の詳細な説明】
【０００１】
【発明の属する技術分野】
この発明は、ＴＶ（Ｔｅｌｅｖｉｓｉｏｎ）装置やＶＴＲ（Ｖｉｄｅｏ  Ｔａｐｅ  Ｒｅｃｏｒｄｅｒ  ）装置などに設けられ、ユーザからの指示にじて映像ソースを切り替える映像ソース切替装置に関するものである。
【０００２】
【従来の技術】
従来より、例えばＴＶ装置には、ユーザからの指示に応じて映像ソースを切り替えるための映像ソース切替装置が設けられている。映像ソースとしては、ＶＴＲ、ＤＶＤ（Ｄｉｇｉｔａｌ  Ｖｅｒｓａｔｉｌｅ  Ｄｉｓｃ）プレーヤ、ＢＳデジタルチューナ、地上波デジタルチューナ、ゲーム機、パーソナルコンピュータ、ビデオカメラなどがある。これらの映像ソースは、映像出力と音声出力とを備え、映像出力がＴＶ装置の映像信号入力端子に接続され、音声出力がＴＶ装置の音声信号入力端子に接続される。
【０００３】
映像信号の種類は、色信号や輝度信号を分離せずに送るコンポジット映像信号、色信号と輝度信号とに分けて送るＳ映像信号、輝度信号と色差信号に分離して送るコンポーネント映像信号というように多くの種類がある。一般的に、コンポーネント映像信号、Ｓ映像信号、コンポジット映像信号の順で映像の品位がよい。
【０００４】
機器の映像信号処理の特徴上、「ＶＴＲ」、「ビデオカメラ」、「ゲーム機」は、Ｓ映像信号とコンポジット映像信号を映像出力として持つものが多い。「ＤＶＤプレーヤ」、「ＢＳデジタルチューナ」、「地上波デジタルチューナ」は、コンポーネント映像信号とＳ映像信号とコンポジット映像信号の全てを映像出力として持つものが多い。
【０００５】
図７はＴＶ装置に設けられた従来の映像ソース切替装置の要部を示すブロック図である。この映像ソース切替装置１０１Ａは、コンポーネント映像信号入力端子（以下、コンポーネント入力端子という）ＴＡ１〜ＴＡ５により構成されるコンポーネント映像信号入力端子群（コンポーネント入力端子群）１Ａと、Ｓ映像信号入力端子（以下、Ｓ入力端子という）ＴＢ１〜ＴＢ５により構成されるＳ映像信号入力端子群（Ｓ入力端子群）１Ｂと、コンポジット映像信号入力端子（以下、コンポジット入力端子という）ＴＣ１〜ＴＣ５により構成されるコンポジット映像信号入力端子群（コンポジット入力端子群）１Ｃと、音声信号入力端子（以下、音声入力端子という）ＴＤ１〜ＴＤ５により構成される音声信号入力端子群（音声入力端子群）１Ｄとを有している。
【０００６】
コンポーネント入力端子群１Ａに対してはコンポーネント信号選択スイッチ２が、Ｓ入力端子群１Ｂに対してはＳ信号選択スイッチ３が、コンポジット入力端子群１Ｃに対してはコンポジット信号選択スイッチ４が、音声入力端子群１Ｄに対しては音声信号選択スイッチ５が設けられている。コンポーネント信号選択スイッチ２は接点２ａ〜２ｅを有し、Ｓ信号選択スイッチ３は接点３ａ〜３ｅを有し、コンポジット信号選択スイッチ４は接点４ａ〜４ｅを有し、音声信号選択スイッチ５は接点５ａ〜５ｅを有している。
【０００７】
コンポーネント信号選択スイッチ２の接点２ａ〜２ｅの一端はコンポーネント入力端子ＴＡ１〜ＴＡ５に接続されている。Ｓ信号選択スイッチ３の接点３ａ〜３ｅの一端はＳ入力端子ＴＢ１〜ＴＢ５に接続されている。コンポジット信号選択スイッチ４の接点４ａ〜４ｅの一端はコンポジット入力端子ＴＣ１〜ＴＣ５に接続されている。音声信号選択スイッチ５の接点５ａ〜５ｅの一端は音声入力端子ＴＤ１〜ＴＤ５に接続されている。
【０００８】
コンポーネント信号選択スイッチ２の接点２ａ〜２ｅの他端は、共通に接続されて、コンポーネント映像信号／ＲＧＢ信号変換回路（以下、コンポーネント信号変換回路という）６の入力端子６ａに接続されている。
Ｓ信号選択スイッチ３の接点３ａ〜３ｅの他端は、共通に接続されて、Ｓ映像信号／ＲＧＢ信号変換回路（以下、Ｓ信号変換回路という）７の入力端子７ａに接続されている。
【０００９】
コンポジット信号選択スイッチ４の接点４ａ〜４ｅの他端は、共通に接続されて、コンポジット映像信号／ＲＧＢ信号変換回路（以下、コンポジット信号変換回路という）８の入力端子８ａに接続されている。
音声信号選択スイッチ５の接点５ａ〜５ｅの他端は、共通に接続されて、図示されていない後段の回路（例えば、音声ボリューム調整回路やパワーアンプなど）に接続されている。
【００１０】
コンポーネント信号変換回路６、Ｓ信号変換回路７、コンポジット信号変換回路８に対してはＲＧＢ信号選択スイッチ９が設けられている。ＲＧＢ信号選択スイッチ９は接点９ａ〜９ｃを有し、接点９ａの一端がコンポーネント信号変換回路６の出力端子６ｂに、接点９ｂの一端がＳ信号変換回路７の出力端子７ｂに、接点９ｃの一端がコンポジット信号変換回路８の出力端子８ｂに接続されている。ＲＧＢ信号選択スイッチ９の接点９ａ〜９ｃの他端は、共通に接続されて、図示されていない後段の回路（例えば、画像表示回路など）に接続されている。
【００１１】
コンポーネント信号選択スイッチ２やＳ信号選択スイッチ３、コンポジット信号選択スイッチ４、音声信号選択スイッチ５、ＲＧＢ信号選択スイッチ９の動作はマイクロコンピュータ（以下、マイコンと略す）１０によって制御される。マイコン１０は、ＣＰＵやメモリ，インターフェイスなどを備えており、メモリに格納されたプログラムに従って動作する。
【００１２】
マイコン１０のメモリには、上述したプログラムの他、入力選択番号とコンポーネント信号選択スイッチ２、Ｓ信号選択スイッチ３、コンポジット信号選択スイッチ５の動作させる接点（オンとする接点）との関係を示す第１のテーブル（図８（ａ））ＴＢ１と、コンポーネント信号変換回路６、Ｓ信号変換回路７、コンポジット信号変換回路８のＲＧＢ信号の出力状態とＲＧＢ信号選択スイッチ９の動作させる接点（オンとする接点）との関係を示す第２のテーブルＴＢ２とが格納されている。
【００１３】
この例において、入力選択番号は＃１〜＃５までの５つあり、入力選択番号＃１はコンポーネント入力端子ＴＡ１とＳ入力端子ＴＢ１とコンポジット入力端子ＴＣ１と音声入力端子ＴＤ１とを入力端子群とする第１の入力系統▲１▼に対応し、入力選択番号＃２はコンポーネント入力端子ＴＡ２とＳ入力端子ＴＢ２とコンポジット入力端子ＴＣ２と音声入力端子ＴＤ２とを入力端子群とする第２の入力系統▲２▼に対応し、入力選択番号＃３はコンポーネント入力端子ＴＡ３とＳ入力端子ＴＢ３とコンポジット入力端子ＴＣ３と音声入力端子ＴＤ３とを入力端子群とする第３の入力系統▲３▼に対応し、入力選択番号＃４はコンポーネント入力端子ＴＡ４とＳ入力端子ＴＢ４とコンポジット入力端子ＴＣ４と音声入力端子ＴＤ４とを入力端子群とする第４の入力系統▲４▼に対応し、入力選択番号＃５はコンポーネント入力端子ＴＡ５とＳ入力端子ＴＢ５とコンポジット入力端子ＴＣ５と音声入力端子ＴＤ５とを入力端子群とする第５の入力系統▲５▼に対応する。
【００１４】
〔映像ソースの接続〕
この映像ソース切替装置１０１Ａに、映像ソースとして「ＢＳデジタルチューナ」、「地上波デジタルチューナ」、「ＤＶＤプレーヤ」、「ＶＴＲ」、「ゲーム機」を接続した状態を図９に示す。この例では、第１の入力系統▲１▼にＢＳデジタルチューナ２００を、第２の入力系統▲２▼に地上波デジタルチューナ３００を、第３の入力系統▲３▼にＤＶＤプレーヤ４００を、第４の入力系統▲４▼にＶＴＲ５００を、第５の入力系統▲５▼にゲーム機６００を接続している。
【００１５】
これら映像ソースの接続関係について詳述すると、ＢＳデジタルチューナ２００が持つ最高品位の映像出力（この例では、コンポーネント映像信号）を入力系統▲１▼のコンポーネント入力端子ＴＡ１に、地上波デジタルチューナ３００が持つ最高品位の映像出力（この例では、コンポーネント映像信号）を入力系統▲２▼のコンポーネント入力端子ＴＡ２に、ＤＶＤプレーヤ４００が持つ最高品位の映像出力（この例では、コンポーネント映像信号）を入力系統▲３▼のコンポーネント入力端子ＴＡ３に、ＶＴＲ５００が持つ最高品位の映像出力（この例では、Ｓ映像信号）を入力系統▲４▼のＳ入力端子ＴＢ４に、ゲーム機６００が持つ最高品位の映像出力（この例では、コンポジット映像信号）を入力系統▲５▼のコンポジット入力端子ＴＣ５に接続し、ＢＳデジタルチューナ２００の音声出力を入力系統▲１▼の音声入力端子ＴＤ１に、地上波デジタルチューナ３００の音声出力を入力系統▲２▼の音声入力端子ＴＤ２に、ＤＶＤプレーヤ４００の音声出力を入力系統▲３▼の音声入力端子ＴＤ３に、ＶＴＲ５００の音声出力を入力系統▲４▼の音声入力端子ＴＤ４に、ゲーム機６００の音声出力を入力系統▲５▼の音声入力端子ＴＤ５に接続している。
【００１６】
〔ＤＶＤプレーヤ４００を使用したい場合〕
例えば、入力系統▲３▼に接続されているＤＶＤプレーヤ４００を使用したい場合、ユーザは、リモコンやＴＶ装置本体に設けられている入力切替スイッチを利用して、映像ソースの切替指示をマイコン１０へ送る。例えば、リモコンの操作スイッチを１回押す毎に、映像ソースの切替指示を出し、マイコン１０への入力選択番号を切り替える。
【００１７】
マイコン１０は、ユーザからの指示によって入力選択番号が＃３に切り替えられると、メモリに格納されている図８（ａ）に示された第１のテーブルＴＢ１に従って、コンポーネント信号選択スイッチ２の接点２ｃ、Ｓ信号選択スイッチ３の接点３ｃ、コンポジット信号選択スイッチ４の接点４ｃ、音声信号選択スイッチ５の接点５ｃをオンとする。
【００１８】
ここで、コンポーネント信号選択スイッチ２の接点２ｃの一端にはコンポーネント入力端子ＴＡ３が接続されているので、このコンポーネント入力端子ＴＡ３に接続されているＤＶＤプレーヤ４００の映像出力（コンポーネント映像信号）がコンポーネント信号選択スイッチ２を介してコンポーネント信号変換回路６へ送られる。また、音声信号選択スイッチ５の接点５ｃの一端には音声入力端子ＴＤ３が接続されているので、この音声入力端子ＴＤ３に接続されているＤＶＤプレーヤ４００の音声出力（音声信号）が音声信号選択スイッチ５を介して後段の音声ボリューム調整回路やパワーアンプなどに送られる。
【００１９】
コンポーネント信号変換回路６は、コンポーネント信号選択スイッチ２を介して送られてくるＤＶＤプレーヤ４００からのコンポーネント映像信号をＲＧＢ信号に変換し、出力する。ここで、マイコン１０は、コンポーネント信号変換回路６、Ｓ信号変換回路７、コンポジット信号変換回路８の出力を監視しており、コンポーネント信号変換回路６からのＲＧＢ信号の出力を確認すると、図８（ｂ）に示された第２のテーブルＴＢ２に従い、ＲＧＢ信号選択スイッチ９の接点９ａをオンとする。これにより、コンポーネント信号変換回路６から出力されるＲＧＢ信号、すなわちＤＶＤプレーヤ４００からのＲＧＢ信号に変換された映像信号が、ＲＧＢ信号選択スイッチ９を介して後段の画像表示回路などへ送られる。
【００２０】
このようにして、マイコン１０は、ユーザからの指示によって入力選択番号が＃３に切り替えられると、映像ソースをＤＶＤプレーヤ４００に切り替える。なお、映像ソースがＤＶＤプレーヤ４００に切り替えられたことは、ＲＧＢ信号選択スイッチ９を通して得られる映像信号により、ＴＶ装置の画面上で確認することができる。これと同様にして、マイコン１０に映像ソースの切替指示を与え、入力選択番号を＃１，＃２，＃４，＃５に切り替えると、映像ソースがＢＳデジタルチューナ２００，地上波デジタルチューナ３００，ＶＴＲ５００，ゲーム機６００に切り替えられる。
【００２１】
この映像ソース切替装置１０１Ａでは、入力系統▲１▼〜▲５▼のそれぞれに３種類の映像信号（コンポーネント映像信号、Ｓ映像信号、コンポジット映像信号）を入力するための入力端子ＴＡ，ＴＢ，ＴＣを設けているので、未使用入力端子の数が多くなる。図９の接続例では、すなわち入力系統▲１▼〜▲５▼の全てに映像ソースを接続した例では、未使用入力端子の数は２個×５＝１０個となる。
【００２２】
この未使用入力端子の数を減らすために、例えば、コンポーネント映像信号を持つ映像ソースの接続数を３つまでとし、入力系統▲４▼，▲５▼からコンポーネント入力端子ＴＡ４とＴＡ５とを除去することが考えられる。コンポーネント映像信号を持つ映像ソースはそれほど多くなく、その接続数を３つまでとしてもユーザにとっての不都合はさほど生じない。このようにすれば、図９に示した映像ソースの接続例では、未使用入力端子の数は８個となる。
【００２３】
なお、上述した従来技術は、数十年も前から採用されている技術であって、出願人は出願時までにこれに関連する先行技術文献を発見することはできなかった。よって、先行技術文献情報を開示していない。
【００２４】
【発明が解決しようとする課題】
しかしながら、上述したように、例えばコンポーネント映像信号を持つ映像ソースの接続数を３つまでとし、入力系統▲４▼，▲５▼からコンポーネント入力端子ＴＡ４とＴＡ５を除去するような構成とした場合、未使用入力端子の数を減らすことはできるが、映像ソースをそれが持つ最高品位の映像信号で接続する場合、コンポーネント映像信号を持つ映像ソースは入力系統▲１▼〜▲３▼に接続するしかなく、映像ソースの入力系統への接続の自由度が減少する。すなわち、コンポーネント映像信号を持つ映像ソースは入力選択番号＃１〜＃３に割り当てることができるが、入力選択番号＃４，＃５には割り当てることができず、映像ソースの入力選択番号への割り当ての自由度が減少する。
【００２５】
これにより、例えば、次のような問題が生じる。図１０に示す映像ソース切替装置１０１Ｂでは、入力系統▲４▼，▲５▼からコンポーネント入力端子ＴＡ４とＴＡ５とを除去した構成とし、入力系統▲１▼にＶＴＲ５００を、入力系統▲２▼にゲーム機６００を、入力系統▲３▼にＢＳデジタルチューナ２００を接続している。このような接続状態から、例えば、地上波デジタルチューナ３００やＤＶＤプレーヤ４００をコンポーネント映像信号で追加接続したいような場合、これらの映像ソースは入力系統▲４▼や▲５▼に接続することはできない。
【００２６】
地上波デジタルチューナ３００やＤＶＤプレーヤ４００をどうしても追加接続したい場合には、ＶＴＲ５００，ゲーム機６００を入力系統▲４▼，▲５▼に接続し直し、これによって空けられた入力系統▲１▼，▲２▼に地上波デジタルチューナ３００，ＤＶＤプレーヤ４００を接続するしかない。
【００２７】
また、図９において、入力選択番号に対するＢＳデジタルチューナ２００や地上波デジタルチューナ３００，ＤＶＤプレーヤ４００，ＶＴＲ５００，ゲーム機６００の割り当てを変えたいような場合にも、入力系統▲１▼〜▲５▼に対する映像ソースの接続を変えるしかない。
【００２８】
本発明はこのような課題を解決するためになされたもので、その目的とするところは、入力選択番号への映像ソースの割り当ての自由度を減少させることなく、未使用入力端子の数を削減することの可能な、また映像ソースの接続を変えることなく、入力選択番号に対する映像ソースの割り当てを変えることの可能な映像ソース切替装置を提供することにある。
【００２９】
【課題を解決するための手段】
このような目的を達成するために本発明は、複数の映像信号入力端子により構成される第１〜第Ｎ（Ｎ≧２）の映像信号入力端子群と、複数の音声信号入力端子により構成される音声信号入力端子群と、変更可能に設定される映像信号入力端子と音声信号入力端子との組合せと入力選択番号との関係を記憶する記憶手段と、ユーザからの指示により入力選択番号が切り替えられた場合、この切り替えられた入力選択番号に対応する映像信号入力端子と音声信号入力端子との組合せを記憶手段より読み出し、この読み出した映像信号入力端子および音声信号入力端子からの映像信号および音声信号を選択する選択手段とを設けたものである。
【００３０】
この発明において、記憶手段は、変更可能に設定される映像信号入力端子と音声信号入力端子との組合せと入力選択番号との関係を記憶する。例えば、ユーザによって、入力選択番号＃１に対してＳ映像信号入力端子Ｔ４と音声信号入力端子Ｔ１４との組合せが指定されると、入力選択番号＃１に対応づけてＳ映像信号入力端子Ｔ４と音声信号入力端子Ｔ１４との組合せを記憶する。
【００３１】
映像ソース切替手段は、ユーザからの指示によって入力選択番号が切り替えられると、この入力選択番号に対応して記憶手段が記憶している映像信号入力端子と音声信号入力端子との組合せを読み出し、この読み出した映像信号入力端子および音声信号入力端子からの映像信号および音声信号を選択する。例えば、リモコンの操作スイッチを押すなどして、映像ソースの切替指示が出され、入力選択番号が＃１に切り替えられると、入力選択番号＃１に対応して記憶されているＳ映像信号入力端子Ｔ４と音声信号入力端子Ｔ１４との組合せを読み出し、Ｓ映像信号入力端子Ｔ４に接続されている映像ソースからのＳ映像信号を選択し、音声信号入力端子Ｔ１４に接続されている映像ソースからの音声信号を選択する。
【００３２】
また、本発明において、記憶手段は、予め定められた映像信号入力端子については、その映像信号入力端子と音声信号入力端子との組合せを、ユーザから指定される映像信号の種別を付して記憶する。そして、選択手段は、読み出した映像信号入力端子と音声信号入力端子との組合せに映像信号の種別が付されていた場合、その読み出した映像信号入力端子からの映像信号については、その付されていた映像信号の種別に応ずる経路へ送る。例えば、映像信号の種別として「コンポジット」が付されていた場合、読み出した映像信号入力端子に接続されている映像ソースからの映像信号をコンポジット映像信号／ＲＧＢ信号変換回路へ至る経路へ送り、映像信号の種別として「コンポーネント」が付されていた場合、読み出した映像信号入力端子に接続されている映像ソースからの映像信号をコンポーネント映像信号／ＲＧＢ信号変換回路へ至る経路へ送る。このようにすることによって、１つの映像信号入力端子を、異なる種別の映像信号入力端子として使用することが可能となる。
【００３３】
また、本発明では、映像信号入力端子と音声信号入力端子との組合せを、映像信号入力端子に対応する入力識別番号と音声信号入力端子に対応する入力識別番号との組合せとして、入力選択番号に対応づけてテーブル形式で記憶する。なお、この場合の入力識別番号としては、入力端子の近くに印刷表示されている端子番号などを用いることができる。
【００３４】
【発明の実施の形態】
以下、本発明を図面に基づいて詳細に説明する。
〔実施の形態１〕
図１はこの発明に係る映像ソース切替装置の一実施の形態（実施の形態１）を示すブロック図である。この映像ソース切替装置１００ＡはＴＶ装置に設けられている。同図において、図７と同一符号は図７を参照して説明した構成要素と同一或いは同等構成要素を示し、その説明は省略する。
【００３５】
この映像ソース切替装置１００Ａは、図１０に示した従来の映像ソース切替装置１０１Ｂと同様に、コンポーネント入力端子群１Ａからコンポーネント入力端子ＴＡ４とＴＡ５とを除去した構成としている。これにより、この映像ソース切替装置１００Ａに５つの映像ソースを接続した場合、未使用入力端子の数が８個となり、図７に示された従来の映像ソース切替装置１０１Ａよりも未使用入力端子の数が２個削減される。
【００３６】
コンポーネント入力端子群１Ａは、コンポーネント入力端子ＴＡ１，ＴＡ２，ＴＡ３により構成されており、コンポーネント入力端子ＴＡ１，ＴＡ２，ＴＡ３の近くには端子番号が印刷表示されている。この例では、コンポーネント入力端子ＴＡ１，ＴＡ２，ＴＡ３に対し、端子番号としてそれぞれＴ１，Ｔ２，Ｔ３が印刷表示されている。
【００３７】
Ｓ入力端子群１Ｂは、Ｓ入力端子ＴＢ１，ＴＢ２，ＴＢ３，Ｔ４Ｂ，ＴＢ５により構成されており、Ｓ入力端子ＴＢ１，ＴＢ２，ＴＢ３，Ｔ４Ｂ，ＴＢ５の近くには端子番号が印刷表示されている。この例では、Ｓ入力端子ＴＢ１，ＴＢ２，ＴＢ３，Ｔ４Ｂ，ＴＢ５に対し、端子番号としてそれぞれＴ４，Ｔ５，Ｔ６，Ｔ７，Ｔ８が印刷表示されている。
【００３８】
コンポジット入力端子群１Ｃは、コンポジット入力端子ＴＣ１，ＴＣ２，ＴＣ３，Ｔ４Ｃ，ＴＣ５により構成されており、コンポジット入力端子ＴＣ１，ＴＣ２，ＴＣ３，Ｔ４Ｃ，ＴＣ５の近くには端子番号が印刷表示されている。この例では、コンポジット入力端子ＴＣ１，ＴＣ２，ＴＣ３，Ｔ４Ｃ，ＴＣ５に対し、端子番号としてそれぞれＴ９，Ｔ１０，Ｔ１１，Ｔ１２，Ｔ１３が印刷表示されている。
【００３９】
音声入力端子群１Ｄは、音声入力端子ＴＤ１，ＴＤ２，ＴＤ３，Ｔ４Ｄ，ＴＤ５により構成されており、コンポジット入力端子ＴＤ１，ＴＤ２，ＴＤ３，Ｔ４Ｄ，ＴＤ５の近くには端子番号が印刷表示されている。この例では、コンポジット入力端子ＴＤ１，ＴＤ２，ＴＤ３，Ｔ４Ｄ，ＴＤ５に対し、端子番号としてそれぞれＴ１４，Ｔ１５，Ｔ１６，Ｔ１７，Ｔ１８が印刷表示されている。
【００４０】
マイコン１０のメモリには、端子番号Ｔ１〜Ｔ１３を入力識別番号とし、この入力識別番号Ｔ１〜Ｔ１３とコンポーネント信号選択スイッチ２，Ｓ信号選択スイッチ３，コンポジット信号選択スイッチ４およびＲＧＢ信号選択スイッチ９の動作させる接点（オンとする接点）との関係を示す第１のテーブルＴＢＬ１（図２（ａ））と、端子番号Ｔ１４〜Ｔ１８を入力識別番号とし、この入力識別番号Ｔ１４〜Ｔ１８と音声信号選択スイッチ９の動作させる接点（オンとする接点）との関係を示す第２のテーブルＴＢＬ２（図２（ｂ））とが格納されている。
【００４１】
〔映像ソースの接続〕
図１は、映像ソース切替装置１００Ａに、映像ソースとしてＶＴＲ５００、ゲーム機６００、ＢＳデジタルチューナ２００を接続した状態を示している。この例では、ＶＴＲ５００が持つ最高品位の映像出力（Ｓ映像信号）をＳ入力端子ＴＢ１に、ゲーム機６００が持つ最高品位の映像出力（コンポジット映像信号）をコンポジット入力端子ＴＣ１に、ＢＳデジタルチューナ２００が持つ最高品位の映像出力（コンポーネント映像信号）をコンポーネント入力端子ＴＡ１に接続し、ＶＴＲ５００の音声出力を音声入力端子ＴＤ１に、ゲーム機６００の音声出力を音声入力端子ＴＤ２に、ＢＳデジタルチューナ２００音声出力を音声入力端子ＴＤ３に接続している。
【００４２】
〔入力選択テーブルの設定〕
ユーザは、映像ソースの接続に際し、映像信号入力端子と音声信号入力端子との組合せと入力選択番号との関係を示す入力選択テーブルをマイコン１０のメモリに初期設定する。この初期設定は、リモコンからの操作によって、入力選択番号に対して映像信号入力端子の端子番号（入力識別番号）と音声信号入力端子の端子番号（入力識別番号）との組合せを指定することによって行う。
【００４３】
図１に示した接続例では、図２（ｃ）に示すように、Ｓ入力端子ＴＢ１に対応する入力識別番号Ｔ４と音声入力端子ＴＤ１に対応する入力識別番号Ｔ１４との組合せを入力選択番号＃１に、コンポジット入力端子ＴＣ１に対応する入力識別番号Ｔ９と音声入力端子ＴＤ２に対応する入力識別番号Ｔ１５との組合せを入力選択番号＃２に、コンポーネント入力端子ＴＡ１に対応する入力識別番号Ｔ１と音声入力端子ＴＤ３に対応する入力識別番号Ｔ１６との組合せを入力選択番号＃３に対応づけた入力選択テーブルＴＢＬ３を設定する。
【００４４】
〔ＶＴＲ５００を使用したい場合〕
例えば、ＶＴＲ５００を使用したい場合、ユーザは、リモコンやＴＶ装置本体に設けられている入力切替スイッチを利用して、映像ソースの切替指示をマイコン１０へ送る。例えば、リモコンの操作スイッチを１回押す毎に、映像ソースの切替指示を出し、マイコン１０への入力選択番号を切り替える。
【００４５】
マイコン１０は、ユーザからの指示によって入力選択番号が＃１に切り替えられると、メモリに格納されている図２（ｃ）に示された入力選択テーブルＴＢ３から、入力選択番号＃１に対応づけられている入力識別番号Ｔ４とＴ１４との組合せを読み出す。そして、この読み出した入力識別番号Ｔ４とＴ１４とに基づき、図２（ａ）に示された第１のテーブルＴＢＬ１および図２（ｂ）に示された第２のテーブルＴＢＬ２に従い、コンポーネント信号選択スイッチ２，Ｓ信号選択スイッチ３，コンポジット信号選択スイッチ４，音声信号選択スイッチ５およびＲＧＢ信号選択スイッチ９の動作を制御する。
【００４６】
この場合、第１のテーブルＴＢＬ１に従い、入力識別番号Ｔ４に対応するＳ信号選択スイッチ３の接点３ａおよびＲＧＢ信号選択スイッチ９の接点９ｂをオンとする。また、第２のテーブルＴＢＬ２に従い、入力識別番号Ｔ１４に対応する音声信号選択スイッチ５の接点５ａをオンとする。これにより、ＶＴＲ５００からのＳ映像信号がＳ信号選択スイッチ３を介してＳ信号変換回路７へ送られ、Ｓ信号変換回路７によってＲＧＢ信号に変換されたＶＴＲ５００からの映像信号が、ＲＧＢ信号選択スイッチ９を介して後段の画像表示回路などへ送られる。また、ＶＴＲ５００からの音声信号が音声信号選択スイッチ５を介して後段の音声ボリューム調整回路やパワーアンプなどに送られる。
【００４７】
このようにして、マイコン１０は、ユーザからの指示によって入力選択番号が＃１に切り替えられると、映像ソースをＶＴＲ５００に切り替える。なお、映像ソースがＶＴＲ５００に切り替えられたことは、ＲＧＢ信号選択スイッチ９を通して得られる映像信号により、ＴＶ装置の画面上で確認することができる。これと同様にして、マイコン１０に映像ソースの切替指示を与え、入力選択番号を＃２，＃３に切り替えると、映像ソースがゲーム機６００，ＢＳデジタルチューナ２００に切り替えられる。
【００４８】
〔映像ソースの追加接続〕
今、図１に示した接続状態から、例えば、地上波デジタルチューナ３００やＤＶＤプレーヤ４００を最高品位の映像出力（コンポーネント映像信号）で追加接続したいものとする。この場合、ユーザは、マイコン１０のメモリに設定されている入力選択テーブルＴＢＬ３に、映像信号入力端子と音声信号入力端子との組合せと入力選択番号との関係を追加登録する。
【００４９】
例えば、図２（ｄ）に示すように、入力選択番号＃４に対応づけて入力識別番号Ｔ２（コンポーネント入力端子ＴＡ２）と入力識別番号Ｔ１７（音声入力端子ＴＤ４）との組合せを、入力選択番号＃５に対応づけて入力識別番号Ｔ３（コンポーネント入力端子ＴＡ３）と入力識別番号Ｔ１８（音声入力端子ＴＤ５）との組合せを記憶させる。
【００５０】
そして、図３に示すように、入力選択番号＃４に対応づけた入力識別番号Ｔ２とＴ１７との組合せに対応して、地上波デジタルチューナ３００の映像出力（コンポーネント信号）および音声出力をコンポーネント入力端子ＴＡ２および音声入力端子ＴＤ４に、入力選択番号＃５に対応づけた入力識別番号Ｔ３とＴ１８との組合せに対応して、ＤＶＤプレーヤ４００の映像出力（コンポーネント信号）および音声出力をコンポーネント入力端子ＴＡ３および音声入力端子ＴＤ５に接続する。
【００５１】
〔地上波デジタルチューナ３００を使用したい場合〕
例えば、地上波デジタルチューナ３００を使用したい場合、ユーザは、リモコンやＴＶ装置本体に設けられている入力切替スイッチを利用して、映像ソースの切替指示をマイコン１０へ送る。マイコン１０は、ユーザからの指示によって入力選択番号が＃４に切り替えられると、メモリに格納されている図２（ｄ）に示された入力選択テーブルＴＢ３から、入力選択番号＃４に対応づけられている入力識別番号Ｔ２とＴ１７との組合せを読み出す。そして、この読み出した入力識別番号Ｔ２とＴ１７とに基づき、図２（ａ）に示された第１のテーブルＴＢＬ１および図２（ｂ）に示された第２のテーブルＴＢＬ２に従い、コンポーネント信号選択スイッチ２，Ｓ信号選択スイッチ３，コンポジット信号選択スイッチ４，音声信号選択スイッチ５およびＲＧＢ信号選択スイッチ９の動作を制御する。
【００５２】
この場合、第１のテーブルＴＢＬ１に従い、入力識別番号Ｔ２に対応するコンポーネント信号選択スイッチ２の接点２ｂおよびＲＧＢ信号選択スイッチ９の接点９ａをオンとする。また、第２のテーブルＴＢＬ１に従い、入力識別番号Ｔ１７に対応する音声信号選択スイッチ５の接点５ｄをオンとする。これにより、地上波デジタルチューナ３００からのコンポーネント映像信号がコンポーネント信号選択スイッチ２を介してコンポーネント信号変換回路６へ送られ、コンポーネント信号変換回路６によってＲＧＢ信号に変換された地上波デジタルチューナ３００からの映像信号が、ＲＧＢ信号選択スイッチ９を介して後段の画像表示回路などへ送られる。また、地上波デジタルチューナ３００からの音声信号が音声信号選択スイッチ５を介して後段の音声ボリューム調整回路やパワーアンプなどに送られる。
【００５３】
このようにして、マイコン１０は、ユーザから指示によって入力選択番号が＃４に切り替えられると、映像ソースを地上波デジタルチューナ３００に切り替える。なお、映像ソースが地上波デジタルチューナ３００に切り替えられたことは、ＲＧＢ信号選択スイッチ９を通して得られる映像信号により、ＴＶ装置の画面上で確認することができる。これと同様にして、マイコン１０に映像ソースの切替指示を与え、入力選択番号を＃５に切り替えると、映像ソースがＤＶＤプレーヤ４００に切り替えられる。
【００５４】
ここで、図３に示した映像ソース切替装置１００Ａに対する映像ソースの接続状態と図１０に示した映像ソース切替装置１０１Ｂに対する映像ソースの接続状態を比較して分かるように、従来の映像ソース切替装置１０１Ｂでは地上波デジタルチューナ３００やＤＶＤプレーヤ４００を入力選択番号＃４，＃５に割り当てることができなかったが、本実施の形態の映像ソース切替装置１００Ａでは入力選択番号＃４，＃５に割り当てることができている。すなわち、本実施の形態の映像ソース切替装置１００Ａでは、入力選択番号への映像ソースの割り当ての自由度を減少させることなく、未使用入力端子の数を減らすことができている。
【００５５】
また、本実施の形態の映像ソース切替装置１００Ａでは、地上波デジタルチューナ３００やＤＶＤプレーヤ４００を接続する際に、ＶＴＲ５００やゲーム機６００を接続し直す必要がない。また、本実施の形態の映像ソース切替装置１００Ａでは、入力選択番号に対するＢＳデジタルチューナ２００や地上波デジタルチューナ３００，ＤＶＤプレーヤ４００，ＶＴＲ５００，ゲーム機６００の割り当てを変えたいような場合、入力選択テーブルＴＢＬ３における映像信号入力端子と音声信号入力端子との組合せと入力選択番号との関係を変更するのみでよい。すなわち、入力選択テーブルＴＢＬ３における映像信号入力端子と音声信号入力端子との組合せと入力選択番号との関係を変更するのみで、映像信号入力端子や音声信号入力端子への映像ソースの実際の接続を変えることなく、入力選択番号に対する映像ソースの割り当てを変えることができる。
【００５６】
〔実施の形態２〕
図４はこの発明に係る映像ソース切替装置の他の実施の形態（実施の形態２）を示すブロック図である。この実施の形態２の映像ソース切替装置１００Ｂでは、端子ＴＣ１，ＴＣ２をコンポジット／コンポーネント入力端子とし、コンポジット／コンポーネント入力端子ＴＣ１をコンポーネント信号選択スイッチ２の接点２ｄおよびコンポジット信号選択スイッチ４の接点４ａに、コンポジット／コンポーネント入力端子ＴＣ２をコンポーネント信号選択スイッチ２の接点２ｅおよびコンポジット信号選択スイッチ４の接点４ｂに接続している。
【００５７】
また、マイコン１０のメモリに、入力識別番号Ｔ１〜Ｔ１３とコンポーネント信号選択スイッチ２，Ｓ信号選択スイッチ３，コンポジット信号選択スイッチ４およびＲＧＢ信号選択スイッチ９の動作させる接点（オンとする接点）との関係を示す第１のテーブルＴＢＬ４（図５（ａ））と、入力識別番号Ｔ１４〜Ｔ１８と音声信号選択スイッチ９の動作させる接点（オンとする接点）との関係を示す第２のテーブルＴＢＬ５（図５（ｂ））とを格納している。
【００５８】
〔映像ソースの接続〕
図４は、映像ソース切替装置１００Ｂに、映像ソースとしてＢＳデジタルチューナ２００、地上波デジタルチューナ３００、ＤＶＤプレーヤ４００、ＶＴＲ５００、ゲーム機６００を接続した状態を示している。この例では、ＢＳデジタルチューナ２００が持つ最高品位の映像出力（コンポーネント映像信号）をコンポーネント入力端子ＴＡ１に、地上波デジタルチューナ３００が持つ最高品位の映像出力（コンポーネント映像信号）をコンポーネント入力端子ＴＡ２に、ＤＶＤプレーヤ４００が持つ最高品位の映像出力（コンポーネント映像信号）をコンポーネント入力端子ＴＡ３に、ＶＴＲ５００が持つ最高品位の映像出力（Ｓ映像信号）をＳ入力端子ＴＢ１に、ゲーム機６００が持つ最高品位の映像出力（コンポジット映像信号）をコンポジット／コンポーネント入力端子ＴＣ１に接続し、ＢＳデジタルチューナ２００の音声出力を音声入力端子ＴＤ１に、地上波デジタルチューナ３００の音声出力を音声入力端子ＴＤ２に、ＤＶＤプレーヤ４００の音声出力を音声入力端子ＴＤ３に、ＶＴＲ５００の音声出力を音声入力端子ＴＤ４に、ゲーム機６００の音声出力を音声入力端子ＴＤ５に接続している。
【００５９】
〔入力選択テーブルの設定〕
ユーザは、映像ソースの接続に際し、映像信号入力端子と音声信号入力端子との組合せと入力選択番号との関係を示す入力選択テーブルをマイコン１０のメモリに初期設定する。この初期設定は、リモコンからの操作によって、入力選択番号に対して映像信号入力端子の端子番号（入力識別番号）と音声信号入力端子の端子番号（入力識別番号）との組合せを指定することによって行う。
【００６０】
図４に示した接続例では、図５（ｃ）に示すように、コンポーネント入力端子ＴＡ１に対応する入力識別番号Ｔ１と音声入力端子ＴＤ１に対応する入力識別番号Ｔ１４との組合せを入力選択番号＃１に、コンポーネント入力端子ＴＡ２に対応する入力識別番号Ｔ２と音声入力端子ＴＤ２に対応する入力識別番号Ｔ１５との組合せを入力選択番号＃２に、コンポーネント入力端子ＴＡ３に対応する入力識別番号Ｔ３と音声入力端子ＴＤ３に対応する入力識別番号Ｔ１６との組合せを入力選択番号＃３に、Ｓ入力端子ＴＢ１に対応する入力識別番号Ｔ４と音声入力端子ＴＤ４に対応する入力識別番号Ｔ１７との組合せを入力選択番号＃４に、コンポジット／コンポーネント入力端子ＴＣ１に対応する入力識別番号Ｔ９と音声入力端子ＴＤ５に対応する入力識別番号Ｔ１８との組合せを入力選択番号＃５に対応づけた入力選択テーブルＴＢＬ６を初期設定する。
【００６１】
この初期設定に際し、ユーザは、コンポジット／コンポーネント入力端子ＴＣ１に対応する入力識別番号Ｔ９については、映像信号の種別を指定する。この例では、映像信号の種別として「コンポジット」を指定する。マイコン１０は、このユーザから指定された映像信号の種別「コンポジット」を、入力識別番号Ｔ９と入力識別番号Ｔ１８との組合せに付して記憶する。
【００６２】
〔ゲーム機６００を使用したい場合〕
例えば、ゲーム機６００を使用したい場合、ユーザは、リモコンやＴＶ装置本体に設けられている入力切替スイッチを利用して、映像ソースの切替指示をマイコン１０へ送る。マイコン１０は、ユーザからの指示によって入力選択番号が＃５に切り替えられると、メモリに格納されている図５（ｃ）に示された入力選択テーブルＴＢ６から、入力選択番号＃５に対応づけられている入力識別番号Ｔ９とＴ１８との組合せを読み出す。この際、入力識別番号Ｔ９とＴ１８との組合せに映像信号の種別（この例では、「コンポジット」）が付されているので、この付されている映像信号の種別についても読み出す。
【００６３】
そして、マイコン１０は、この読み出した入力識別番号Ｔ９とＴ１８の組み合わせと映像信号の種別に基づき、図５（ａ）に示された第１のテーブルＴＢＬ４および図５（ｂ）に示された第２のテーブルＴＢＬ５に従い、コンポーネント信号選択スイッチ２，Ｓ信号選択スイッチ３，コンポジット信号選択スイッチ４，音声信号選択スイッチ５およびＲＧＢ信号選択スイッチ９の動作を制御する。ここで、第１のテーブルＴＢＬ４には、入力識別番号がＴ９でその映像信号の種別が「コンポジット」である場合、「コンポジット信号選択スイッチ４の接点４ａおよびＲＧＢ信号選択スイッチ９の接点９ｃをオンとする」という動作内容が書き込まれている。したがって、マイコン１０は、この第１のテーブルＴＢＬ４の動作内容に従い、コンポジット信号選択スイッチ４の接点４ａおよびＲＧＢ信号選択スイッチ９の接点９ｃをオンとする。また、第２のテーブルＴＢＬ５に従い、入力識別番号Ｔ１８に対応する音声信号選択スイッチ５の接点５ｅをオンとする。
【００６４】
これにより、ゲーム機６００からのコンポジット映像信号がコンポジット信号選択スイッチ４を介してコンポジット信号変換回路８へ至る経路へ送られ、コンポジット信号変換回路８によってＲＧＢ信号に変換されたゲーム機６００からの映像信号が、ＲＧＢ信号選択スイッチ９を介して後段の画像表示回路などへ送られる。また、ゲーム機６００の音声出力（音声信号）が音声信号選択スイッチ５を介して後段の音声ボリューム調整回路やパワーアンプなどに送られる。
【００６５】
〔映像ソースの変更接続〕
今、図４に示した接続状態から、ＶＴＲ５００やゲーム機６００に代えて、ＢＳデジタルチューナ７００やＤＶＤプレーヤ８００を最高品位の映像出力（コンポーネント映像信号）で接続したいものとする。この場合、ユーザは、マイコン１０のメモリに設定されている入力選択テーブルＴＢＬ６の設定内容を変更する。
【００６６】
この例では、図５（ｄ）に示すように、入力選択番号＃４に対する入力識別番号の組合せを、入力識別番号Ｔ１０（コンポジット／コンポーネント入力端子ＴＣ２）と入力識別番号Ｔ１７（音声入力端子ＴＤ４）との組合せに変える。この入力識別番号の組合せの変更に際し、ユーザは、入力識別番号Ｔ１０に対応するコンポジット／コンポーネント入力端子ＴＣ２に対する映像信号の種別として「コンポーネント」を指定する。マイコン１０は、このユーザから指定された映像信号の種別「コンポーネント」を、入力識別番号Ｔ１０と入力識別番号Ｔ１７との組合せに付して記憶する。また、ユーザは、入力選択番号＃５に対応づけて記憶されている入力識別番号Ｔ９（コンポジット／コンポーネント入力端子ＴＣ１）と入力識別番号Ｔ１８（音声入力端子ＴＤ４）との組合せに対し、映像信号の種別として「コンポーネント」を指定する。マイコン１０は、このユーザから指定された映像信号の種別「コンポーネント」を、入力識別番号Ｔ９と入力識別番号Ｔ１８との組合せに付して記憶する。
【００６７】
そして、ユーザは、図６に示すように、入力選択番号＃４に対応づけられた入力識別番号Ｔ１０とＴ１７との組合せに対応して、ＢＳデジタルチューナ７００の映像出力（コンポーネント信号）および音声出力をコンポジット／コンポーネント入力端子ＴＣ２および音声入力端子ＴＤ４に接続し、入力選択番号＃５に対応づけられた入力識別番号Ｔ９とＴ１８との組合せに対応して、ＤＶＤプレーヤ８００の映像出力（コンポーネント信号）および音声出力をコンポジット／コンポーネント入力端子ＴＣ１および音声入力端子ＴＤ５に接続する。
【００６８】
〔ＤＶＤプレーヤ８００を使用したい場合〕
例えば、ＤＶＤプレーヤ８００を使用したい場合、ユーザは、リモコンやＴＶ装置本体に設けられている入力切替スイッチを利用して、映像ソースの切替指示をマイコン１０へ送る。マイコン１０は、ユーザからの指示によって入力選択番号が＃５に切り替えられると、メモリに格納されている図５（ｄ）に示された入力選択テーブルＴＢ６から、入力選択番号＃５に対応づけられている入力識別番号Ｔ９とＴ１８との組合せを読み出す。この際、入力識別番号Ｔ９とＴ１８との組合せには映像信号の種別（この例では、「コンポーネント」）が付されているので、この付されている映像信号の種別についても読み出す。
【００６９】
そして、マイコン１０は、この読み出した入力識別番号Ｔ９とＴ１８の組合せと映像信号の種別に基づき、図５（ａ）に示された第１のテーブルＴＢＬ４および図５（ｂ）に示された第２のテーブルＴＢＬ５に従い、コンポーネント信号選択スイッチ２，Ｓ信号選択スイッチ３，コンポジット信号選択スイッチ４，音声信号選択スイッチ５およびＲＧＢ信号選択スイッチ９の動作を制御する。ここで、第１のテーブルＴＢＬ４には、入力識別番号がＴ９でその映像信号の種別が「コンポーネント」である場合、「コンポーネント信号選択スイッチ２の接点２ｄおよびＲＧＢ信号選択スイッチ９の接点９ａをオンとする」という動作内容が書き込まれている。したがって、マイコン１０は、この第１のテーブルＴＢＬ４の動作内容に従い、コンポーネント信号選択スイッチ２の接点２ｄおよびＲＧＢ信号選択スイッチ９の接点９ａをオンとする。また、第２のテーブルＴＢＬ５に従い、入力識別番号Ｔ１８に対応する音声信号選択スイッチ５の接点５ｅをオンとする。
【００７０】
これにより、ＤＶＤプレーヤ８００からのコンポーネント映像信号がコンポーネント信号選択スイッチ２を介してコンポーネント信号変換回路６へ至る経路へ送られ、コンポーネント信号変換回路６によってＲＧＢ信号に変換されたＤＶＤプレーヤ８００からの映像信号が、ＲＧＢ信号選択スイッチ９を介して後段の画像表示回路などへ送られる。また、ＤＶＤプレーヤ８００からの音声信号が音声信号選択スイッチ５を介して後段の音声ボリューム調整回路やパワーアンプなどに送られる。
【００７１】
〔ＢＳデジタルチューナ７００を使用したい場合〕
例えば、ＢＳデジタルチューナ７００を使用したい場合、ユーザは、リモコンやＴＶ装置本体に設けられている入力切替スイッチを利用して、映像ソースの切替指示をマイコン１０へ送る。マイコン１０は、ユーザからの指示によって入力選択番号が＃４に切り替えられると、メモリに格納されている図５（ｄ）に示された入力選択テーブルＴＢ６から、入力選択番号＃４に対応づけられている入力識別番号Ｔ１０とＴ１７との組合せを読み出す。この際、入力識別番号Ｔ１０とＴ１７との組合せには映像信号の種別（この例では、「コンポーネント」）が付されているので、この付されている映像信号の種別についても読み出す。
【００７２】
そして、マイコン１０は、この読み出した入力識別番号Ｔ１０とＴ１７の組合せと映像信号の種別に基づき、図５（ａ）に示された第１のテーブルＴＢＬ４および図５（ｂ）に示された第２のテーブルＴＢＬ５に従い、コンポーネント信号選択スイッチ２，Ｓ信号選択スイッチ３，コンポジット信号選択スイッチ４，音声信号選択スイッチ５およびＲＧＢ信号選択スイッチ９の動作を制御する。ここで、第１のテーブルＴＢＬ４には、入力識別番号がＴ１０でその映像信号の種別が「コンポーネント」である場合、「コンポーネント信号選択スイッチ２の接点２ｅおよびＲＧＢ信号選択スイッチ９の接点９ａをオンとする」という動作内容が書き込まれている。したがって、マイコン１０は、この第１のテーブルＴＢＬ４の動作内容に従い、コンポーネント信号選択スイッチ２の接点２ｅおよびＲＧＢ信号選択スイッチ９の接点９ａをオンとする。また、第２のテーブルＴＢＬ５に従い、入力識別番号Ｔ１７に対応する音声信号選択スイッチ５の接点５ｄをオンとする。
【００７３】
これにより、ＢＳデジタルチューナ７００からのコンポーネント映像信号がコンポーネント信号選択スイッチ２を介してコンポーネント信号変換回路６へ至る経路へ送られ、コンポーネント信号変換回路６によってＲＧＢ信号に変換されたＢＳデジタルチューナ７００からの映像信号が、ＲＧＢ信号選択スイッチ９を介して後段の画像表示回路などへ送られる。また、ＢＳデジタルチューナ７００からの音声信号が音声信号選択スイッチ５を介して後段の音声ボリューム調整回路やパワーアンプなどに送られる。
【００７４】
以上の説明から分かるように、この実施の形態２の映像ソース切替装置１００Ｂでは、入力端子ＴＣ１，ＴＣ２を「コンポジット」と「コンポーネント」という異なる種別の映像入力端子として使用することができる。これにより、実施の形態１の映像ソース切替装置１００Ａでは高品位の映像出力としてコンポーネント映像信号を持つ映像ソースを３個までしか接続することができなかったものが、実施の形態２の映像ソース切替装置１００Ｂでは５個まで接続することができるようになり、接続することの可能なコンポーネント映像信号を持つ映像ソースの数を増大する。
【００７５】
なお、上述した実施の形態では、リモコンの操作スイッチを１回押す毎に映像ソースの切替指示を出し、マイコン１０への入力選択番号を切り替えるようにしたが、入力選択番号そのものをリモコンからマイコン１０へ送るようにしてもよい。
【００７６】
また、上述した実施の形態では、映像ソース切替装置１００Ａや１００ＢをＴＶ装置に設けた例で説明したが、ＶＴＲ装置などに設けてもよい。ＶＴＲ装置に設けた場合、ＲＧＢ信号選択スイッチ９によって選択されたＲＧＢ信号は画像記録回路などへ送られ、音声信号選択スイッチ５によって選択された音声信号は音声記録回路などへ送られる。
【００７７】
また、上述した実施の形態では、選択したコンポーネント映像信号やＳ映像信号，コンポジット映像信号をＲＧＢ信号に変換するものとしたが、必ずしもＲＧＢ信号に変換しなくてもよい。すなわち、図１や図４に示した構成において、コンポーネント信号変換回路６やＳ信号変換回路７、コンポジット信号変換回路８、ＲＧＢ信号選択スイッチ９などを省略した構成としてもよい。
【００７８】
【発明の効果】
以上説明したことから明らかなように本発明によれば、変更可能に設定される映像信号入力端子と音声信号入力端子との組合せと入力選択番号との関係を記憶するものとし、ユーザによって切り替えられる入力選択番号に対応する映像信号入力端子と音声信号入力端子との組合せを読み出し、この読み出した映像信号入力端子および音声信号入力端子に接続されている映像ソースからの映像信号および音声信号を選択するようにしたので、入力選択番号への映像ソースの割り当ての自由度を減少させることなく、未使用入力端子の数を減らすことが可能となる。また、映像ソースの接続を変えることなく、入力選択番号に対する映像ソースの割り当てを変えることが可能となる。
【００７９】
また、本発明によれば、予め定められた映像信号入力端子については、その映像信号入力端子と音声信号入力端子との組合せを、ユーザから指定される映像信号の種別を付して記憶するようにし、読み出した映像信号入力端子と音声信号入力端子との組合せに映像信号の種別が付されていた場合、その読み出した映像信号入力端子からの映像信号については、その付されていた映像信号の種別に応ずる経路へ送るようにすることにより、１つの映像信号入力端子を異なる種別の映像信号入力端子として使用することができるようになり、入力選択番号への映像ソースの割り当ての自由度を減らすことなく、未使用入力端子の数を削減することが可能となる。
【図面の簡単な説明】
【図１】本発明に係る映像ソース切替装置の一実施の形態（実施の形態１）を示すブロック図である。
【図２】実施の形態１の映像ソース切替装置のメモリに格納される各種のテーブルを例示する図である。
【図３】実施の形態１の映像ソース切替装置に映像ソースを追加接続した状態を示す図である。
【図４】本発明に係る映像ソース切替装置の他の実施の形態（実施の形態２）を示すブロック図である。
【図５】実施の形態２の映像ソース切替装置のメモリに格納される各種のテーブルを例示する図である。
【図６】実施の形態２の映像ソース切替装置に映像ソースを変更接続した状態を示す図である。
【図７】従来の映像ソース切替装置の要部を示すブロック図である。
【図８】従来の映像ソース切替装置のメモリに格納されているテーブルを例示する図である。
【図９】従来の映像ソース切替装置への映像ソースの接続例を示す図である。
【図１０】従来の映像ソース切替装置の入力系統▲４▼，▲５▼からコンポーネント入力端子を除去した構成を示す図である。
【符号の説明】
１００Ａ，１００Ｂ…映像ソース切替装置、１Ａ…コンポーネント映像信号入力端子群（コンポーネント入力端子群）、ＴＡ１〜ＴＡ５…コンポーネント映像信号入力端子（コンポーネント入力端子）、１Ｂ…Ｓ映像信号入力端子群（Ｓ入力端子群）、１Ｂ…Ｓ映像信号入力端子（Ｓ入力端子）、１Ｃ…コンポジット映像信号入力端子群（コンポジット入力端子群）、ＴＣ１〜ＴＣ５…コンポジット映像信号入力端子（コンポジット入力端子）、１Ｄ…音声信号入力端子群（音声入力端子群）、ＴＤ１〜ＴＤ５…音声信号入力端子（音声入力端子）、２…コンポーネント信号選択スイッチ、２ａ〜２ｅ…接点、３…Ｓ信号選択スイッチ、３ａ〜３ｅ…接点、４…コンポジット信号選択スイッチ、４ａ〜４ｅ…接点、５…音声信号選択スイッチ、５ａ〜５ｅ…接点、６…コンポーネント映像信号／ＲＧＢ信号変換回路（コンポーネント信号変換回路）、７…Ｓ映像信号／ＲＧＢ信号変換回路（Ｓ信号変換回路）、８…コンポジット映像信号／ＲＧＢ信号変換回路（コンポジット信号変換回路）、９…ＲＧＢ信号選択スイッチ、９ａ〜９ｃ…接点、１０…マイクロコンピュータ（マイコン）、Ｔ１〜Ｔ１８…端子番号（入力識別番号）、＃１〜＃５…入力選択番号、ＴＢＬ１，ＴＢＬ４…第１のテーブル、ＴＢＬ２，ＴＢＬ５…第２のテーブル、ＴＢＬ３，ＴＢＬ６…入力選択テーブル、２００…ＢＳデジタルチューナ、３００…地上波デジタルチューナ、４００…ＤＶＤプレーヤ、５００…ＶＴＲ、６００…ゲーム機、７００…ＢＳデジタルチューナ、８００…ＤＶＤプレーヤ。
【図１】
2004221948.tif 000003
【図２】
2004221948.tif 000004
【図３】
2004221948.tif 000005
【図４】
2004221948.tif 000006
【図５】
2004221948.tif 000007
【図６】
2004221948.tif 000008
【図７】
2004221948.tif 000009
【図８】
2004221948.tif 000010
【図９】
2004221948.tif 000011
【図１０】
2004221948.tif 000012